(57)【特許請求の範囲】
【請求項１】
バッテリモジュールを収容するための筐体本体と、
前記筐体本体に固定され、前記バッテリモジュールに接続するための配線を覆う配線管カバーと、を備え、
前記筐体本体は、正面板と、前記正面板と平行に向かい合う背面板と、前記正面板及び前記背面板に対して垂直な側面板とを有し、
前記正面板及び前記背面板と前記側面板の境界部分は、ラウンド形状を有し、
前記配線管カバーは、前記側面板を覆うように固定されているとともに、前記境界部分のラウンド形状を隠蔽する張り出し部を有し、
前記配線管カバーは一枚の金属板からなり、前記正面板又は前記背面板と平行な第１の領域と、前記第１の領域と重なるよう折り返された第２の領域と、前記側面板と重なるよう前記第２の領域から折り曲げられた第３の領域とを含み、
前記張り出し部は、前記第１及び第２の領域の互いに重なる部分によって構成され、
前記筐体本体の前記境界部分と前記配線管カバーの前記第２及び第３の領域によって空間が形成されることを特徴とするバッテリケース。
【請求項２】
前記張り出し部は、前記正面板又は前記背面板とほぼ同一平面を構成することを特徴とする請求項１に記載のバッテリケース。
【請求項３】
前記第３の領域は、前記配線管カバーを前記筐体本体の前記側面板に着脱可能に位置決めするための位置決め穴を有することを特徴とする請求項１又は２に記載のバッテリケース。
【請求項４】
前記筐体本体は、前記正面板、前記背面板及び前記側面板を含む筒状体の上部開口部を閉塞する天板をさらに有し、
前記配線管カバーは、前記天板にネジ止めされていることを特徴とする請求項１〜３のいずれか一項に記載のバッテリケース。
【請求項５】
前記天板は、前記筐体本体の前記側面板と前記配線管カバーによって構成される別の筒状体の上部開口部をさらに閉塞することを特徴とする請求項４に記載のバッテリケース。
【請求項６】
前記筐体本体は、前記筒状体の下部開口部を閉塞する底板をさらに有し、
前記配線管カバーは、前記底板にネジ止めされていることを特徴とする請求項４又は５に記載のバッテリケース。
【請求項７】
前記筐体本体の前記側面板には前記配線を通すための開口部が設けられており、前記開口部の周囲は筒状のカバー部材で覆われていることを特徴とする請求項１〜６のいずれか一項に記載のバッテリケース。
【請求項８】
前記筐体本体は、前記側面板と平行に向かい合う別の側面板をさらに有し、
前記正面板、前記背面板、前記側面板及び前記別の側面板からなる筒状体は、筒状に巻回された一枚の金属板からなることを特徴とする請求項１〜７のいずれか一項に記載のバッテリケース。
【請求項９】
請求項１〜８のいずれか一項に記載のバッテリケースと、前記筐体本体に収容されたバッテリモジュールとを備える蓄電池システム。
【発明の詳細な説明】
【技術分野】
【０００１】
本発明はバッテリケースに関し、特に、バッテリモジュールを収容するための筐体本体と、筐体本体に固定された配線管カバーとを備えるバッテリケースに関する。また、本発明は、このようなバッテリケースを用いた蓄電池システムに関する。
【背景技術】
【０００２】
特許文献１には、バッテリモジュールを収容するための筐体本体と、筐体本体に固定された配線管カバーとを備えるバッテリケースが開示されている。配線管カバーは、バッテリモジュールに接続された配線を覆う部材であり、このような配線管カバーを用いることにより、配線を通過させるために設けられた開口を介した水分や粉塵の侵入が防止されている。
【先行技術文献】
【特許文献】
【０００３】
【特許文献１】特開２０１９−６１８４３号公報
【発明の概要】
【発明が解決しようとする課題】
【０００４】
しかしながら、特許文献１に記載されたバッテリケースは、配線管カバーが筐体本体から突出して設けられていることから、審美性が損なわれるという問題があった。
【０００５】
したがって、本発明は、審美性に優れたバッテリケース及びこれを用いた蓄電池システムを提供することを目的とする。
【課題を解決するための手段】
【０００６】
本発明によるバッテリケースは、バッテリモジュールを収容するための筐体本体と、筐体本体に固定され、バッテリモジュールに接続するための配線を覆う配線管カバーとを備え、筐体本体は、正面板と、正面板と平行に向かい合う背面板と、正面板及び背面板に対して垂直な側面板とを有し、正面板及び背面板と側面板の境界部分はラウンド形状を有し、配線管カバーは、側面板を覆うように固定されているとともに、境界部分のラウンド形状を隠蔽する張り出し部を有することを特徴とする。また、本発明による蓄電池システムは、上記のバッテリケースと、筐体本体に収容されたバッテリモジュールとを備える。
【０００７】
本発明によれば、境界部分のラウンド形状が配線管カバーの張り出し部によって隠蔽されることから、審美性が高められるとともに、筐体本体と配線管カバーの隙間における防水性及び防塵性を高めることが可能となる。
【０００８】
本発明において、張り出し部は、正面板又は背面板とほぼ同一平面を構成するものであっても構わない。これによれば、審美性がより高められるとともに、防水性及び防塵性をより高めることが可能となる。
【０００９】
本発明において、配線管カバーは一枚の金属板からなり、正面板又は背面板と平行な第１の領域と、第１の領域と重なるよう折り返された第２の領域とを含み、張り出し部は、第１及び第２の領域の互いに重なる部分によって構成されても構わない。これによれば、張り出し部の強度を高めることが可能となる。この場合、配線管カバーは、側面板と重なるよう第２の領域から折り曲げられた第３の領域をさらに含み、筐体本体の境界部分と配線管カバーの第２及び第３の領域によって空間が形成されても構わない。これによれば、筐体本体と配線管カバーの間に形成される空間が防水ポケット及び防塵ポケットとして機能することから、より高い防水性及び防塵性を得ることが可能となる。さらにこの場合、第３の領域は、配線管カバーを筐体本体の側面板に着脱可能に位置決めするための位置決め穴を有していても構わない。これによれば、筐体本体と配線管カバーの間に形成される空間にたまった水や埃の除去が容易となる。
【００１０】
本発明において、筐体本体は、正面板、背面板及び側面板を含む筒状体の上部開口部を閉塞する天板をさらに有し、配線管カバーは天板にネジ止めされていても構わない。これによれば、筐体本体からの配線管カバーの脱落を防止することが可能となる。この場合、天板は、筐体本体の側面板と配線管カバーによって構成される別の筒状体の上部開口部をさらに閉塞するものであっても構わない。これによれば、筐体本体に水分や粉塵が侵入しにくくなる。この場合、筐体本体は筒状体の下部開口部を閉塞する底板をさらに有し、配線管カバーは底板にネジ止めされていても構わない。これによれば、配線管カバーを筐体本体に強固に固定することが可能となる。
【００１１】
本発明において、筐体本体は、側面板と平行に向かい合う別の側面板をさらに有し、正面板、背面板、側面板及び別の側面板からなる筒状体は、筒状に巻回された一枚の金属板からなるものであっても構わない。これによれば、筒状体が一枚の金属板からなることから、高い防水性を得ることできるとともに、部品点数が少ないことから軽量化を図ることが可能となる。また、一枚の金属板を折り曲げることによって筒状体を作製することができるため、製造コストも低減される。
【発明の効果】
【００１２】
このように、本発明によれば、審美性に優れるとともに、防水性及び防塵性の高いバッテリケース及びこれを用いた蓄電池システムを提供することができる。
【図面の簡単な説明】
【００１３】
【図１】図１は、本発明の一実施形態によるバッテリケース１の外観を示す略斜視図である。
【図２】図２は、バッテリケース１から天板２０を取り外した状態を示す略分解斜視図である。
【図３】図３は、バッテリケース１から天板２０及び配線管カバー４０を取り外した状態を示す略分解斜視図である。
【図４】図４は、配線管カバー４０の構造を説明するための略斜視図である。
【図５】図５は、配線管カバー４０の構造を説明するための略斜視図である。
【図６】図６は、配線管カバー４０を筐体本体２に取り付ける方法を説明するための部分拡大図である。
【図７】棚ダボ６０の形状を説明するための略斜視図である。
【図８】図８は、ネジ８８によってネジ止めされる部分を説明するための略斜視図である。
【図９】図９は、バッテリケース１の部分的なＸＹ略断面図である。
【図１０】図１０は、図９の部分拡大図である。
【発明を実施するための形態】
【００１４】
以下、添付図面を参照しながら、本発明の好ましい実施形態について詳細に説明する。
【００１５】
図１は、本発明の一実施形態によるバッテリケース１の外観を示す略斜視図である。
【００１６】
図１に示すように、本実施形態によるバッテリケース１は、筒状体１０、天板２０及び底板３０からなる筐体本体２と、筐体本体２に固定された配線管カバー４０とを備える。これら各部材１０，２０，３０，４０は、いずれも金属材料からなる。図１に示すように、筐体本体２の内部には、バッテリモジュールＢや制御ボックスＨが収容され、これにより蓄電池システムが構成される。バッテリケース１は、固定金具６を介して土台７に固定される。さらに、バッテリケース１には、バッテリモジュールＢ又は制御ボックスＨに接続される配線を保護する配線管８が設けられている。配線管８を通る配線は、バッテリモジュールＢに直接接続されていても構わないし、制御ボックスＨを介してバッテリモジュールＢに接続されていても構わない。配線管８は、配線管カバー４０によって覆われる。
【００１７】
図２は、バッテリケース１から天板２０を取り外した状態を示す略分解斜視図である。また、図３は、バッテリケース１から天板２０及び配線管カバー４０を取り外した状態を示す略分解斜視図である。
【００１８】
図２及び図３に示すように、筒状体１０は、一枚の金属板、例えば先塗装材が筒状に折り曲げ加工された部材であり、正面板１１、背面板１２、側面板１３，１４を備えている。正面板１１及び背面板１２はＸＺ面を構成し、側面板１３，１４はＹＺ面を構成する。したがって、正面板１１及び背面板１２と側面板１３，１４は互いに垂直である。正面板１１と背面板１２はＹ方向に向かい合い、側面板１３と側面板１４はＸ方向に向かい合う。本実施形態において用いる筒状体１０は、Ｙ方向における長さ（奥行き）よりも、Ｘ方向における長さ（幅）の方が大きい。つまり、ＸＺ面が長側面を構成し、ＹＺ面が短側面を構成する。
【００１９】
このように、本実施形態においては、一枚の金属板が折り曲げ加工されてなる筒状体１０を用いていることから、筒状体１０にはつなぎ目１５が１箇所しか存在せず、高い防水性を得ることが可能となる。特に、筒状体１０の材料として先塗装材を使用すれば、大幅なコストダウンが図ることができる。図２及び図３に示す例では、筒状体１０のつなぎ目１５が配線管カバー４０で覆われる側面板１３に位置しており、これにより、つなぎ目１５の防水性及び防塵性が高められるとともに、審美性も高められる。また、正面板１１及び背面板１２と側面板１３，１４の境界部分は、直角に折れ曲がるのではなく、ラウンド形状を有している。つまり、正面板１１及び背面板１２の法線方向はＹ方向であり、側面板１３，１４の法線方向はＸ方向であり、ラウンド形状部においては、正面板１１又は背面板１２から側面板１３又は１４に向かって、法線方向がＹ方向からＸ方向に徐々に変化する。
【００２０】
筒状体１０の側面板１３には配線管８を通すための開口部が設けられており、開口部の周囲は筒状のカバー部材５０で覆われている。配線管８は、動力線を通すための配線管と、信号線を通すための配線管に分かれており、これら２つの配線管８がそれぞれガイド５１，５２を介して外部に導出される。筐体本体２に配線管カバー４０が取り付けられると、カバー部材５０の開口部５０ａが配線管カバー４０で覆われ、これにより筐体本体２への水分や粉塵の侵入が防止される。特に、パッキンを介してカバー部材５０と配線管カバー４０の内面を接触させれば、筐体本体２に水分や粉塵がより侵入しにくくなる。また、カバー部材５０の上面部５０ｂがＹ方向に傾斜する傾斜面を有しているとともに、上面部５０ｂのＹ方向における両エッジがラウンド形状を有していることから、カバー部材５０の上面部５０ｂに水が溜まりにくい。
【００２１】
天板２０は、筒状体１０の上部開口部を閉塞するとともに、配線管カバー４０の上部を覆う形状を有している。つまり、天板２０は、筒状体１０の側面板１３と配線管カバー４０によって構成される別の筒状体の上部開口部をさらに閉塞する。天板２０には、ネジ８７をネジ止めするためのネジ穴７７が設けられている。一方、底板３０は筒状体１０の下部開口部を閉塞する。
【００２２】
図４及び図５は、配線管カバー４０の構造を説明するための略斜視図である。
【００２３】
図４及び図５に示すように、配線管カバー４０は一枚の金属板が折り曲げ加工された構成を有しており、側面板１３と向かい合う領域４１と、領域４１のＹ方向における両側を折り曲げた領域４２ａ，４２ｂと、それぞれ領域４２ａ，４２ｂ重なるよう折り返された領域４３ａ，４３ｂと、側面板１３と重なるようそれぞれ領域４３ａ，４３ｂから折り曲げられた領域４４ａ，４４ｂと、領域４１の上部が折り曲げられた領域４５とを有する。領域４３ａ，４３ｂには、複数の位置決め穴４６が設けられている。また、領域４５には複数のネジ穴４７が設けられ、領域４４ａには複数のネジ穴４８が設けられている。
【００２４】
領域４１はＹＺ平面を構成し、Ｚ方向における下部は、配線管８と干渉しないよう斜めにカットされている。領域４２ａ，４２ｂはＸＺ平面を構成し、これにより領域４１，４２ａ，４２ｂ及び側面板１３が筒状となり、その内部に配線管８が配置される。領域４２ａは正面板１１とほぼ同一平面を構成することが好ましく、領域４２ｂは背面板１２とほぼ同一平面を構成することが好ましい。領域４３ａ，４３ｂはＸＺ平面を構成し、領域４２ａ，４２ｂを補強する役割を果たす。領域４４ａ，４４ｂはＹＺ平面を構成し、位置決め穴４６及びネジ穴４８を提供する役割を果たす。領域４５はＸＹ平面を構成し、ネジ穴４７を提供する役割を果たす。位置決め穴４６は、上部における径が小さく、下部における径が大きい形状を有している。
【００２５】
このような構成を有する配線管カバー４０を筐体本体２に取り付ける場合、図６（ａ）に示すように、側面板１３に設けられた位置決め穴にあらかじめ棚ダボ６０を固定する。棚ダボ６０は、図７に示すように、側面板１３を貫通するピン６１と、側面板１３の内側に位置する固定部材６２と、側面板１３の外側に位置する固定部材６３とを有する。次に、図６（ｂ）に示すように、ピン６１の頭部を位置決め穴４６の大径部（下部）に挿入した後、図６（ｃ）に示すように、自重によって配線管カバー４０をＺ方向にスライドさせれば、配線管カバー４０を筐体本体２に位置決めすることが可能となる。また、この状態においては、配線管カバー４０が仮固定されているだけであることから、配線管カバー４０の着脱は容易である。
【００２６】
このようにして配線管カバー４０を位置決めした後、天板２０を取り付け、ネジ穴７７，４７にネジ８７をネジ止めすれば、配線管カバー４０の上部が天板２０に固定される。さらに、図８に示すように、ネジ穴４８を介して底板３０に設けられた図示しないネジ穴にネジ８８をネジ止めすれば、配線管カバー４０の下部が底板３０に固定される。このように、配線管カバー４０の上下をそれぞれ天板２０及び底板３０にネジ止めすれば、配線管カバー４０を筐体本体２に強固に固定することが可能となる。
【００２７】
図９は本実施形態によるバッテリケース１の部分的なＸＹ略断面図であり、図１０は図９の部分拡大図である。
【００２８】
図９及び図１０に示すように、正面板１１及び背面板１２と側面板１３の境界部分はラウンド形状を有しており、配線管カバー４０は、境界部分のラウンド形状を隠蔽する張り出し部Ａを有している。張り出し部Ａは、領域４２ａ，４２ｂと領域４３ａ，４３ｂの重なる部分によって構成される。このような張り出し部Ａを設けることにより、バッテリケース１のＸＺ面の平坦性が高まることから、筐体本体２のラウンド形状部がそのまま露出する場合に比べて高い審美性を得ることができるとともに、ラウンド形状部に異物などが侵入及び蓄積しにくくなる。しかも、張り出し部Ａにおいては、配線管カバー４０を構成する金属板が２枚重なっていることから、張り出し部Ａの強度も高められる。
【００２９】
さらに、配線管カバー４０は、領域４３ａ，４３ｂから９０°折り曲げられた領域４４ａ，４４ｂを有していることから、ラウンド形状部と領域４３ａ，４４ａ（又は領域４３ｂ，４４ｂ）によって空間Ｓが形成される。空間Ｓは防水ポケット及び防塵ポケットとして機能する。このため、張り出し部Ａの先端部分から水や埃が侵入したとしても、この空間Ｓを介して下方に排出されることから、異物が蓄積しにくくなる。また、空間Ｓにたまった水や埃は、ネジ８７，８８を外すことにより、容易に除去することができる。
【００３０】
以上説明したように、本実施形態によるバッテリケース１は、筐体本体２に固定される配線管カバー４０が張り出し部Ａを有していることから、審美性が高められるだけでなく、防水性及び防塵性を高めることも可能となる。
【００３１】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００３２】
１    バッテリケース
２    筐体本体
６    固定金具
７    土台
８    配線管
１０    筒状体
１１    正面板
１２    背面板
１３，１４    側面板
１５    つなぎ目
２０    天板
３０    底板
４０    配線管カバー
４１，４２ａ，４２ｂ，４３ａ，４３ｂ，４４ａ，４４ｂ，４５    領域
４６    位置決め穴
４７，４８，７７    ネジ穴
５０    カバー部材
５０ａ    開口部
５０ｂ    上面部
５１，５２    ガイド
６０    棚ダボ
６１    ピン
６２，６３    固定部材
８７，８８    ネジ
Ａ    張り出し部
Ｂ    バッテリモジュール
Ｈ    制御ボックス
Ｓ    空間
【要約】
【課題】バッテリモジュールを収容するための筐体本体と、筐体本体に固定された配線管カバーとを備えるバッテリケースの審美性を高める。
【解決手段】バッテリケース１は、筐体本体２と、筐体本体２に固定された配線管カバー４０とを備える。配線管カバー４０は、筐体本体２に含まれる筒状体１０の側面板１３を覆うように固定されているとともに、正面板１１及び背面板１２と側面板１３の境界部分のラウンド形状を隠蔽する張り出し部Ａを有する。これにより審美性が高められるとともに、筐体本体２と配線管カバー４０の隙間における防水性及び防塵性を高めることが可能となる。
【選択図】図１０【図１】
0006973609.tif 000002
【図２】
0006973609.tif 000003
【図３】
0006973609.tif 000004
【図４】
0006973609.tif 000005
【図５】
0006973609.tif 000006
【図６】
0006973609.tif 000007
【図７】
0006973609.tif 000008
【図８】
0006973609.tif 000009
【図９】
0006973609.tif 000010
【図１０】
0006973609.tif 000011